(57)【要約】  音声出力装置は、放音部を有するスピーカーユニットと、スピーカーユニットを物に取り付ける取付部材と、スピーカーユニットと取付部材との間に設けられ、スピーカーユニットを取付部材から離間させる離間部材と、スピーカーユニットと取付部材との間に設けられ、スピーカーユニットの放音部の反対側から放射され、放音部側へ伝達される音を低減する封止部材とを備える。取付部材は、スピーカーユニットの放音部側の第１の部分を有し、当該第１の部分は、放音部に対応する開口部を有する。
2017022254.tif 000002
【特許請求の範囲】
【請求項１】
放音部を有するスピーカーユニットと、
前記スピーカーユニットを物に取り付ける取付部材と、
前記スピーカーユニットと前記取付部材との間に設けられ、前記スピーカーユニットを前記取付部材から離間させる離間部材と、
前記スピーカーユニットと前記取付部材との間に設けられ、前記スピーカーユニットの前記放音部の反対側から放射され、前記放音部側へ伝達される音を低減する封止部材と、
を備え、
前記取付部材は、前記スピーカーユニットの前記放音部側の第１の部分を有し、
前記取付部材の前記第１の部分は、前記放音部に対応する開口部を有する
ことを特徴とする音声出力装置。
【請求項２】
放音部を有するスピーカーユニットと、
前記スピーカーユニットを物に取り付ける取付部材と、
前記スピーカーユニットと前記取付部材との間に設けられ、前記スピーカーユニットを前記取付部材から離間させる離間部材と、
を備え、
前記離間部材は、前記スピーカーユニットの前記放音部の反対側から放射され、前記放音部側へ伝達される音を低減し、
前記取付部材は、前記スピーカーユニットの前記放音部側の第１の部分を有し、
前記取付部材の前記第１の部分は、前記放音部に対応する開口部を有する
ことを特徴とする音声出力装置。
【請求項３】
放音部を有するスピーカーユニットを内包する筐体と、
前記筐体を物に取り付ける取付部材と、
前記筐体と前記取付部材との間に設けられ、前記筐体を前記取付部材から離間させる離間部材と、を備え、
前記筐体は、前記スピーカーユニットの前記放音部側の第１の部分を有し、
前記取付部材は、前記スピーカーユニットの前記放音部側の第１の部分を有し、
前記筐体の前記第１の部分および前記取付部材の前記第１の部分は、それぞれ、前記放音部に対応する開口部を有する
ことを特徴とする音声出力装置。
【請求項４】
前記取付部材は、前記スピーカーユニットの前記放音部の反対側に位置する第２の部分を有し、当該第２の部分に開口部を有する
ことを特徴とする請求項３に記載の音声出力装置。
【請求項５】
前記取付部材は、前記スピーカーユニットの側壁側の第３の部分を有し、当該第３の部分に開口部を有する
ことを特徴とする請求項３または４に記載の音声出力装置。
【請求項６】
前記離間部材は、前記筐体の前記第１の部分と、前記取付部材の前記第１の部分との間に配置される
ことを特徴とする請求項３ないし請求項５のいずれかに記載の音声出力装置。
【請求項７】
前記離間部材は、バネ部材であり、
前記バネ部材よりもバネ定数が大きい別のバネ部材が、前記筐体と前記取付部材との間にさらに設けられている
ことを特徴とする請求項３ないし請求項６のいずれかに記載の音声出力装置。
【請求項８】
前記離間部材は、荷重が大きくなることによりバネ定数が大きくなる非線形バネ部材である
ことを特徴とする請求項３ないし請求項６のいずれか一項に記載の音声出力装置。
【請求項９】
前記筺体は前記第１の部分の前記開口部以外の開口部を有さないことを特徴とする
請求項３ないし請求項８のいずれかに記載の音声出力装置。
【請求項１０】
前記筐体は、前記スピーカーユニットの前記放音部の反対側に位置する第２の部分を有し、当該第２の部分に開口部を有する
ことを特徴とする請求項３ないし請求項８のいずれかに記載の音声出力装置。
【請求項１１】
前記筐体は、前記スピーカーユニットの前記放音部の反対側に位置する部分を有さない
ことを特徴とする請求項３ないし請求項８のいずれかに記載の音声出力装置。
【請求項１２】
前記スピーカーユニットの中心軸方向において、前記筐体の長さおよび前記取付部材の長さが、それぞれ、前記スピーカーユニットの長さを超えない
ことを特徴とする請求項１０または１１に記載の音声出力装置。
【請求項１３】
前記筐体は、前記スピーカーユニットの前記放音部の反対側に位置する第２の部分を有し、
前記取付部材は、前記スピーカーユニットの前記放音部の反対側に位置する第２の部分を有し、
前記離間部材は、
前記筐体の前記第２の部分と、前記取付部材の前記第２の部分との間に配置される
ことを特徴とする請求項３ないし請求項１０および請求項１２のいずれかに記載の音声出力装置。
【請求項１４】
前記筐体は、前記スピーカーユニットの側壁側の第３の部分を有し、
前記取付部材は、前記スピーカーユニットの前記放音部の反対側に位置する第２の部分を有し、
前記離間部材は、
前記筐体の前記第３の部分と、前記取付部材の前記第２の部分との間に配置される
ことを特徴とする請求項１１または請求項１２に記載の音声出力装置。
【請求項１５】
前記筐体の前記第１の部分と、前記取付部材の前記第１の部分との間に、音の伝達を低減する封止部材をさらに備える
ことを特徴とする請求項３ないし請求項１４のいずれかに記載の音声出力装置。
【発明の詳細な説明】
【技術分野】
【０００１】
本発明は、音声出力装置の技術に関する。
【背景技術】
【０００２】
例えば、自動車内でハンズフリー通話を実現するシステムでは、スピーカーユニットとマイクとを内蔵したスピーカーを、自動車の内装に直接取り付けていた（例えば、特許文献１）。
【先行技術文献】
【特許文献】
【０００３】
【特許文献１】ＷＯ２０１４／２０３３８０Ａ１
【発明の概要】
【発明が解決しようとする課題】
【０００４】
しかしながら、特許文献に記載の技術ではスピーカーが自動車の内装に直接取り付けられるので、使用者がハンズフリー通話を行う時には、自動車の内装に取り付けられたスピーカーが発する振動によって内装が振動し、雑音となることがあった。【０００５】
本発明は上述した事情に鑑みてなされたもので、その目的は、スピーカーが発する振動による内装の振動を低減することのできる音声出力装置を提供することにある。
【課題を解決するための手段】
【０００６】
上記目的を達成するために本発明の第１の形態に係る音声出力装置は、放音部を有するスピーカーユニットと、スピーカーユニットを物に取り付ける取付部材と、スピーカーユニットと取付部材との間に設けられ、スピーカーユニットを取付部材から離間させる離間部材と、スピーカーユニットと取付部材との間に設けられ、スピーカーユニットの放音部の反対側から放射され、放音部側へ伝達される音を低減する封止部材と、を備え、取付部材は、スピーカーユニットの放音部側の第１の部分を有し、当該第１の部分は、放音部に対応する開口部を有する。【０００７】
本発明の第２の形態に係る音声出力装置は、放音部を有するスピーカーユニットと、スピーカーユニットを物に取り付ける取付部材と、スピーカーユニットと取付部材との間に設けられ、スピーカーユニットを取付部材から離間させる離間部材と、を備え、当該離間部材は、スピーカーユニットの放音部の反対側から放射され、放音部側へ伝達される音を低減し、取付部材は、スピーカーユニットの放音部側の第１の部分を有し、当該第１の部分は、放音部に対応する開口部を有する。【０００８】
本発明の第３の形態に係る音声出力装置は、放音部を有するスピーカーユニットを内包する筐体と、当該筐体を物に取り付ける取付部材と、筐体と取付部材との間に設けられ、筐体を取付部材から離間させる離間部材と、を備え、当該筐体は、スピーカーユニットの放音部側の第１の部分を有し、取付部材は、スピーカーユニットの放音部側の第１の部分を有し、筐体の第１の部分および取付部材の第１の部分は、それぞれ、放音部に対応する開口部を有する。【０００９】
以上の第１ないし第３の形態に係る音声出力装置のいずれの構成においても、スピーカーユニットにより音が発せられた場合に、そのスピーカーユニットが発する振動が、離間部材によって吸収される。したがって、音声出力装置が例えば自動車の内装に取り付けられた場合に、取付部材を介して当該内装（すなわち、当該音声出力装置の外部）に伝わる振動（スピーカーユニットから伝わる振動）が低減され、ひいては当該振動により発生する雑音が低減される。【００１０】
本発明の第３の形態の一態様において、取付部材は、スピーカーユニットの放音部の反対側に位置する（スピーカーユニットの後部側の）第２の部分を有し、当該第２の部分に開口部を有してもよい。取付部材は、スピーカーユニットの側壁側の第３の部分を有し、第２の部分の開口部に代えて、または、当該開口部に加えて、第３の部分に開口部を有してもよい。以上の態様では、取付部材の第２部分と第３部分との少なくともいずれかに開口部が設けられる。そのため、音の発生によってスピーカーユニットを内包する筐体が変形した場合でも、筐体と取付部材との間の中空の圧力が上昇することがなく、取付部材の余計な歪みの発生を抑制することができる。【００１１】
本発明の第３の形態の一態様において、離間部材は、筐体の第１の部分と、取付部材の第１の部分との間に配置される。この態様では、離間部材がスピーカーユニットの放音部と同じ側に配置されるため、スピーカーユニットから伝わる振動が効果的に低減される。【００１２】
本発明の第３の形態の一態様において、離間部材は、バネ部材であり、当該バネ部材よりもバネ定数が大きい別のバネ部材が、筐体と取付部材との間にさらに設けられてもよい。この態様では、筐体に過剰な加速度が加わった場合でも、振動によって筐体と取付部材とが衝突することが抑えられる。【００１３】
本発明の第３の形態の一態様において、離間部材は、荷重が大きくなることによりバネ定数が大きくなる非線形バネ部材であってもよい。この態様では、筐体に過剰な加速度が加わった場合に、筐体が取付部材に衝突する前にバネ定数が上昇するため、筐体と取付部材とが衝突することが抑えられる。【００１４】
本発明の第３の形態の一態様において、筺体は第１の部分の開口部以外の開口部を有さなくともよい。また、他の一態様において、筐体は、スピーカーユニットの放音部の反対側に位置する第２の部分を有し、当該第２の部分に開口部を有してもよい。また、他の一態様において、筐体は、スピーカーユニットの放音部の反対側に位置する部分（第２の部分）を有さなくてもよい。 【００１５】
本発明の第３の形態の一態様において、スピーカーユニットの中心軸方向における、筐体の長さおよび取付部材の長さは、それぞれ、スピーカーユニットの長さを超えない。この態様では、スピーカーユニットの中心軸方向におけるスピーカーユニットの長さが音声出力装置の長さとなり得る。そのため、同じ長さのスピーカーユニットを用いる場合、筐体の長さまたは取付部材の長さがスピーカーユニットの長さよりも長い構成を有する音声出力装置と比べ、本態様による音声出力装置は小型化される。【００１６】
本発明の第３の形態の一態様において、筐体は、スピーカーユニットの放音部の反対側に位置する（スピーカーユニットの後部側の）第２の部分を有し、取付部材は、スピーカーユニットの放音部の反対側に位置する第２の部分を有し、離間部材は、筐体の第２の部分と、取付部材の第２の部分との間に配置されてよい。また、本発明の他の一態様において、筐体は、スピーカーユニットの側壁側の第３の部分を有し、取付部材は、スピーカーユニットの、放音部の反対側に位置する第２の部分を有し、離間部材は、筐体の第３の部分と、取付部材の第２の部分との間に配置されてよい。 【００１７】
本発明の第３の形態の一態様において、筐体の第１の部分と、取付部材の第１の部分との間に、音の伝達を低減する封止部材が配置されてもよい。この態様では、スピーカーユニットの放音部の反対側（スピーカーユニットの後部）から放射され、筐体と取付部材との間を通ってスピーカーユニットの放音部側に放射される音が低減される。すなわち、スピーカーユニットの後部から放射された音の前方への回り込みが低減される。
【図面の簡単な説明】
【００１８】
【図１】第１実施形態に係る音声出力装置１の概略構成を示す斜視図である。
【図２Ａ】第１実施形態に係る音声出力装置１の背面の概略図である。
【図２Ｂ】音声出力装置１の左側面の概略図である。
【図２Ｃ】音声出力装置１の上面の概略図である。
【図２Ｄ】音声出力装置１の右側面の概略図である。
【図２Ｅ】音声出力装置１の正面の概略図である。
【図２Ｆ】音声出力装置１の底面の概略図である。
【図３Ａ】第１実施形態に係るスピーカー３の背面の概略図である。
【図３Ｂ】スピーカー３の左側面の概略図である。
【図３Ｃ】スピーカー３の上面の概略図である。
【図３Ｄ】スピーカー３の右側面の概略図である。
【図３Ｅ】スピーカー３の正面の概略図である。
【図３Ｆ】スピーカー３の底面の概略図である。
【図４】第１実施形態に係るスピーカー３の概略構成を示す斜視図である。
【図５Ａ】外箱２の前面板を背面板側から見た図である。
【図５Ｂ】図２ＣのＡ−Ａ線断面図である。
【図５Ｃ】外箱２の背面板を前面板側から見た図である。
【図６】図５Ｂに示す状態を分解して示した図である。
【図７Ａ】第１実施形態に係る音声出力装置１の模式図である。
【図７Ｂ】第１実施形態に係る音声出力装置１の別の模式図である。
【図８Ａ】変形例（態様１）に係る音声出力装置１の模式図である。
【図８Ｂ】変形例（態様１）に係る音声出力装置１の別の模式図である。
【図９Ａ】変形例（態様２）に係る音声出力装置１の模式図である。
【図９Ｂ】変形例（態様２）に係る音声出力装置１の別の模式図である。
【図１０】第２実施形態における音声出力装置１の解析モデルを示す図である。
【図１１】図１０に示す解析モデルの等価回路である。
【図１２Ａ】第３実施形態に係る音声出力装置１の断面図を分解して示した図である。
【図１２Ｂ】第３実施形態に係る音声出力装置１の断面図である。
【図１３】第４実施形態に係る音声出力装置１の正面の概略図である。
【図１４】第４実施形態に係る音声出力装置１の模式図である。
【図１５】変形例（態様１）に係る音声出力装置１の概略構成を示す図である。
【図１６】変形例（態様２）に係る音声出力装置１の模式図である。
【図１７】変形例（態様３）に係る音声出力装置１の模式図である。
【発明を実施するための形態】
【００１９】
以下、本発明の実施形態について図面を参照して説明する。
＜第１実施形態＞
図１は、第１実施形態に係る音声出力装置１の概略構成を示す斜視図である。図２Ａないし図２Ｆは、第１実施形態に係る音声出力装置１の概略構成を示す。図２Ａは音声出力装置１の背面図、図２Ｂは左側面図、図２Ｃは上面図、図２Ｄは右側面図、図２Ｅは正面図、図２Ｆは底面図である。これらの図に示されるように、音声出力装置１は、外箱２（取付部材）と、スピーカー３と、マイク４とを備えている。スピーカー３には、放音部３０ａを有するスピーカーユニット３０と当該スピーカーユニット３０を内包する内箱３２（筐体）とが含まれる（スピーカー３の構成の詳細については後述される）。スピーカーユニット３０は、供給された音響信号に応じて音を放射する。放音部３０ａは、スピーカーユニット３０のうち、音響信号に応じて振動し音を発生させる部分（例えば、振動板）を指す。
【００２０】
これらの図に示されるように、スピーカーユニット３０の放音部３０ａの周縁を含むＸ−Ｙ平面（以下、放音面と称する場合がある）およびＸ−Ｙ平面に垂直なＺ軸を想定する。Ｚ軸方向はスピーカーユニット３０の中心軸の方向に相当し、放音部３０ａの反対側であるスピーカーユニット３０の後部３０ｂは、Ｚ軸方向において放音部３０ａの正側に位置する。スピーカーユニット３０の放音部３０ａと後部３０ｂとを除く部分を、スピーカーユニット３０の側壁３０ｃとする。
【００２１】
外箱２は、前面板２ａ、背面板２ｂ、および複数（４枚）の側板２ｃを有する。前面板２ａ、背面板２ｂおよび側板２ｃは、それぞれ略矩形状の板状部材である。相互に対向する前面板２ａと背面板２ｂとの間に、前面板２ａおよび背面板２ｂの各縁辺に沿うように４枚の側板２ｃが設置されることで、直方体状の中空の外箱２が構成される。前面板２ａおよび背面板２ｂはいずれも放音面と平行であり、側板２ｃはＺ軸に平行である。Ｚ軸方向において前面板２ａは背面板２ｂの負側に位置する。前面板２ａ（取付部材の第１の部分）は、スピーカーユニット３０の放音部３０ａ側の板であり、前面板２ａには、スピーカーユニット３０の放音部３０ａを露出させる、放音部３０ａの形状に対応する開口部２０が形成されている。背面板２ｂ（取付部材の第２の部分）は、スピーカーユニット３０の後部３０ｂ側の板であり、背面板２ｂには、内箱３２の背面部３２ｂの一部を露出させる、背面部３２ｂの形状に対応する開口部２２が形成されている。側板２ｃ（取付部材の第３の部分）は、スピーカーユニット３０の側壁３０ｃ側の板であり、側板２ｃには、複数の開口部２１が形成されている。
【００２２】
外箱２の前面板２ａの外側の面（背面板２ｂ側の面と反対の面）には、凹部２３が形成され、凹部２３には、マイク４が収容される。マイク４は例えばＭＥＭＳ（Micro-Electrical-Mechanical Systems）マイクである。なお、本実施形態の音声出力装置１がマイク４を備えない構成も採用し得る。
【００２３】
音声出力装置１は、例えば自動車の内装などの、任意の物に取り付けられる。具体的に、音声出力装置１は、スピーカーユニット３０の放音部３０ａが車内を向くよう、開口部２０が形成された外箱２の前面板２ａの外側の面が、内装の裏面と対向するように取り付けられる。つまり、外箱２は、内箱３２を物に取り付けるための取付部材としての機能を有する。取り付け先となる物は、例えば、自動車内装の天井部分（例えば、ルームランプまたは／およびマップランプ近傍）、ダッシュボード、ドア等である。
【００２４】
なお、以下の実施形態では、外箱２が別々に成形された複数の板（前面板２ａ、背面板２ｂ、および側板２ｃ）を有すると想定するが、外箱２は、その一部分（例えば、前面板２ａと側板２ｃ）が一体的に成形されてもよい。
【００２５】
図３Ａないし図３Ｆは、第１実施形態に係るスピーカー３の概略構成を示す。図３Ａはスピーカー３の背面図、図３Ｂは左側面図、図３Ｃは上面図、図３Ｄは右側面図、図３Ｅは正面図、図３Ｆは底面図である。図４は、第１実施形態に係るスピーカー３の概略構成を示す斜視図である。これらの図に示されるように、スピーカー３は、スピーカーユニット３０および当該スピーカーユニット３０を内包する内箱３２（筐体）を備える。
【００２６】
図７Ａは、音声出力装置１をＹ軸の正側から見た場合の、音声出力装置１の断面の一例を示す模式図である。図７Ａから理解されるように、内箱３２は箱状部分と当該箱状部分からＺ軸の正方向に突出する円筒状部分とを有し、スピーカーユニット３０は箱状部分から円筒状部分にわたって内箱３２の内部に配置される。内箱３２は前面部３２ａ、背面部３２ｂ、および側部３２ｃを有する。前面部３２ａは、スピーカーユニット３０の放音部３０ａ側の部分、すなわち、上記箱状部分の放音部３０ａ側の部分である。背面部３２ｂは、スピーカーユニット３０の後部３０ｂ側の部分であって、上記箱状部分のうち後部３０ｂ側の部分と円筒状部分とを含む。側部３２ｃは、前面部３２ａと背面部３２ｂとを除いた、スピーカーユニット３０の側壁３０ｃ側の部分、すなわち箱状部分の側面部である。箱状部分の放音部３０ａ側の部分および後部３０ｂ側の部分はいずれも放音面に平行であり、箱状部分の側面部はスピーカーユニット３０の中心軸に平行である。
【００２７】
内箱３２の前面部３２ａの外側の面（Ｚ軸負側の面）は放音面と略同一面上に配置され、内箱３２の背面部３２ｂのうち円筒状部分の底部の外側の面（Ｚ軸正側の面）は外箱２の背面板２ｂの外側の面（Ｚ軸正側の面）と略同一面上に配置される。内箱３２の前面部３２ａは、外箱２の前面板２ａのＺ軸正側に位置し、内箱３２の背面部３２ｂのうち箱状部分の後部３０ｂ側の部分は外箱２の背面板２ｂのＺ軸負側に位置する。
【００２８】
図３Ａないし図３Ｆおよび図４に示されるように、内箱３２の前面部３２ａの外側の面（外箱２の前面板２ａと対向する面）の四隅には、例えば凸形状の保持部３３が形成されている。また、内箱３２の背面部３２ｂ（内箱３２の箱状部分の後部３０ｂ側の部分）の外側の面（外箱２の背面板２ｂと対向する面）の四隅には、例えば凸形状の保持部３４が形成されている。図３Ｃに示されるように、内箱３２の前面部３２ａ（筐体の第１の部分）には、スピーカーユニット３０の放音部３０ａを露出させる、放音部３０ａの形状に対応する開口部３５が形成されている。
【００２９】
なお、内箱３２の各部（前面部３２ａ、背面部３２ｂ、および側部３２ｃ）は、別々に成形され組み立てられてもよいし、内箱３２の一部（例えば、前面部３２ａと側部３２ｃ）が一体的に成形されてもよい。
【００３０】
図５Ａは外箱２の前面板２ａの内側の面（内箱３２側の面）を示す図である。図５Ｃは外箱２の背面板２ｂの内側の面（内箱３２の箱状部分側の面）を示す図である。これらの図に示すように、前面板２ａの内側の面の四隅には、例えば凹形状の保持部２４が形成され、背面板２ｂ内側の面の四隅には、例えば凹形状の保持部２５が形成される。図５Ｂは、図２ＣのＡ−Ａ線断面をＹ軸正側から見た図である。図６は、図５Ｂに示す断面をＺ軸上で分解して示した図である。
【００３１】
図５Ｂおよび図６に示すように、スピーカー３の内箱３２の前面部３２ａの外側の面に形成された保持部３３と、外箱２の前面板２ａの内側の面に形成された保持部２４との間には、振動吸収材５０（離間部材）が介在する。また、内箱３２の背面部３２ｂ（より正確には、内箱３２の箱状部分の後部３０ｂ側の部分）の外側の面に形成された保持部３４と、外箱２の背面板２ｂの内側の面に形成された保持部２５との間には、振動吸収材５１（離間部材）が介在する。振動吸収材５０および５１は、内箱３２と外箱２とを離間させた状態で両者の間に介在することにより、スピーカー３の振動を吸収する部材である。なお、説明の簡易のため、以下では保持部（２４、２５、３３、および３４）の説明を省略する場合がある。例えば、「振動吸収材５０（または５１）が、外箱２の前面板２ａ（または背面板２ｂ）と内箱３２の前面部３２ａ（または背面部３２ｂ）との間に介在する」との説明は、「振動吸収材５０（または５１）が、外箱２の保持部２４（または２５）と内箱３２の保持部３３（または３４）との間に介在する」ことを意味する。
図５Ａおよび図５Ｂに示すように、外箱２の内部には、スピーカーユニット３０に供給される音響信号に対して増幅や効果付与等の音響処理を実行する信号処理ＩＣ６０が備えられてよい。
【００３２】
図７Ａに示されるように、外箱２の前面板２ａと内箱３２の前面部３２ａとの間に振動吸収材５０が配置される。このため、内箱３２の前面部３２ａと放音部３０ａとは外箱２の前面板２ａから奥まった位置に配置される。また、振動吸収材５１は内箱３２の背面部３２ｂ（より正確には背面部３２ｂの箱状部分）と外箱２の背面板２ｂとの間に配置される。したがって、図７Ａでは、スピーカーユニット３０の中心軸方向（Ｚ軸方向）における外箱２の長さｄ１はスピーカーユニット３０の長さｄ３よりも長い。具体的には、スピーカーユニット３０の中心軸方向において、外箱２の前面板２ａは放音部３０ａから見てＺ軸負側に位置し、外箱２の背面板２ｂはスピーカーユニット３０の後部３０ｂから見てＺ軸正側に位置する。また、内箱３２の長さｄ２もスピーカーユニット３０の長さｄ３よりも長い。具体的には、スピーカーユニット３０の中心軸方向において、内箱３２の前面部３２ａの外側の面は放音面と略同一面上に位置し、内箱３２の背面部３２ｂの円筒状部分の底部はスピーカーユニット３０の後部３０ｂから見てＺ軸正側に位置する。
【００３３】
音声出力装置１は、取付部材として機能する外箱２により、例えば自動車の内装である物７に取り付けられる。なお、図示の簡易のため、図７Ａでは、音声出力装置１が取り付けられる物７は、その一部のみが図示され、保持部（２４、２５、３３、および３４）、マイク４、信号処理ＩＣ６０等の図示は省略される。後述の図７Ｂないし図９Ｂについても同様である。
【００３４】
なお、図７Ａは音声出力装置１の構成の一例を模式的に示すものであり、本実施形態に係る音声出力装置１は、図７Ａに示される構成に限定されない。図７Ｂは、本実施形態に係る音声出力装置１の別の構成例を模式的に示す。図７Ｂに示す例では、内箱３２は、箱状部分と当該箱状部分からＺ軸の正方向に突出する第１の円筒状部分に加え、スピーカーユニット３０の放音部３０ａ側において上記箱状部分からＺ軸の負方向に突出する第２の円筒状部分（当該第２の円筒状部分は内箱３２の前面部３２ａに含まれるものとして取り扱う）を有する。スピーカーユニット３０は当該第２の円筒状部分から箱状部分を通り第１の円筒状部分にわたって内箱３２の内部に配置される。また、スピーカーユニット３０は、放音面が外箱２の前面板２ａの外側の面と略同一面上に位置するように配置される。この例においても、図７Ａに示す構成例と同様に、外箱２の前面板２ａと内箱３２の前面部３２ａ（より正確には前面部３２ａの箱状部分）との間に振動吸収材５０が配置され、外箱２の背面板２ｂと内箱３２の背面部３２ｂ（より正確には背面部３２ｂの箱状部分）との間に振動吸収材５１が配置される。ただし、図７Ｂに示す例では、音声出力装置１が、内箱３２の長さｄ２と外箱２の長さｄ１とが略同一となるように構成される。具体的には、外箱２の前面板２ａの外側の面と内箱３２の前面部３２ａの第２の円筒状部分の上端面とが略同一面上に位置し、外箱２の背面板２ｂの外側の面と内箱３２の背面部３２ｂの第１の円筒状部分の底部の外側の面とが略同一面上に位置する。
【００３５】
本実施形態においては、内箱３２の前面部３２ａ側と背面部３２ｂ側の両方に振動吸収材５０、５１を設けたが、内箱３２の前面部３２ａ側の振動吸収材５０だけを備えてもよいし、内箱３２の背面部３２ｂ側の振動吸収材５１だけを備えてもよい。内箱３２の背面部３２ｂ側の振動吸収材５１だけを備える場合には、内箱３２の前面部３２ａと外箱２の前面板２ａとの間には所定の間隔を設けてもよい。
【００３６】
本実施形態においては、振動吸収材５０，５１の一例としてコイル状のバネ部材を用いている。振動吸収材５０の一方の端部は、内箱３２の前面部３２ａに形成された保持部３３に取り付けられ、当該振動吸収材５０の他方の端部は、外箱２の前面板２ａに形成された保持部２４に取り付けられる。また、振動吸収材５１の一方の端部は、内箱３２の背面部３２ｂに形成された保持部３４に取り付けられ、当該振動吸収材５１の他方の端部は、外箱２の背面板２ｂに形成された保持部２５に取り付けられる。具体的には、例えば凸形状の保持部３３（または３４）の凸部がバネ部材の一方の端部に挿入され、当該バネ部材の他方の端部が例えば凹形状の保持部２４（または２５）の凹部に挿入される。
なお、振動吸収材５０，５１は、振動を吸収する部材であれば、バネ部材に限定されない。振動吸収材としては、バネ部材以外の弾性部材（例えば、スポンジ、樹脂）を用いてもよいし、他の部材（例えば、ジェル）を用いてもよい。
【００３７】
本実施形態においては、上述のように、スピーカーユニット３０を内包する内箱３２が、振動吸収材５０，５１を介して、外箱２から離間するように取り付けられる。そのため、スピーカーユニット３０により音が発せられた場合でも、そのスピーカーユニットが発する振動が、振動吸収材５０，５１によって吸収される。したがって、音声出力装置１が、例えば自動車の内装である物７に取り付けられた場合に、物７に伝わる振動（スピーカーユニット３０が発する振動）が低減され、ひいては当該振動により発生する雑音が低減され得る。また、物７に伝わる振動が低減されるため、スピーカーユニット３０に近接するマイク４に伝達される、当該振動が原因となって発生する雑音が低減されるので、エコーキャンセルの性能劣化を緩和することができる。また、本実施形態においては、振動吸収材５０が放音部３０ａと同じ側に配置されるため、後部３０ｂ側に振動吸収材５１のみが介在する構成と比較して、振動ひいては雑音を低減する効果がより顕著である。
【００３８】
また、外箱２の側板２ｃには、複数の開口部２１が形成され、外箱２の背面板２ｂには、内箱３２の背面部３２ｂの一部を露出させる開口部２２が形成されているので、音の発生によって内箱３２が変形した場合でも、内箱３２と外箱２の間の中空の圧力が上昇することがなく、外箱２の余計な歪みの発生を抑制することができる。
【００３９】
＜第１実施形態の変形例＞
第１実施形態に係る音声出力装置１は種々の変形が可能である。
【００４０】
＜変形例の態様１＞
図８Ａおよび図８Ｂに態様１の例を示す。図示のように、態様１に係る内箱３２は、スピーカーユニット３０の放音部３０ａを露出させる開口部３５（筐体の第１の部分の開口部）に加え、スピーカーユニット３０の後部３０ｂ側に位置する背面部３２ｂ（筐体の第２の部分）に、後部３０ｂの形状に対応する開口部３６を有する。
【００４１】
図８Ａは図７Ａの変形例である。図８Ａに示す例では、内箱３２は、図７Ａに示す内箱３２と同様に、箱状部分と、当該箱状部分からＺ軸正方向に突出する第１の円筒状部分（内箱３２の背面部３２ｂに含まれる）とを有する。また、図８Ａの例では、円筒状部分の底部に開口部３６が形成されている。図示のように、スピーカーユニット３０の中心軸方向における外箱２の長さｄ１と内箱３２の長さｄ２とはいずれも、スピーカーユニット３０の長さｄ３を超えない。具体的には、外箱２の前面板２ａの外側の面と、内箱３２の前面部３２ａの外側の面とのそれぞれが、放音面と略同一面上に位置し、外箱２の背面板２ｂの外側の面と、内箱３２の背面部３２ｂ（より正確には円筒状部分の底部）の外側の面とのそれぞれが、スピーカーユニット３０の後部３０ｂの端面（スピーカーユニット３０の背面）と略同一面上に位置するように構成されている。すなわち、スピーカーユニット３０の中心軸方向における音声出力装置１の長さがスピーカーユニット３０の長さｄ３と略同一である。
【００４２】
また、図８Ａに示す例では、図７Ａに示す例と同様に、振動吸収材５１が内箱３２の背面部３２ｂ（より正確には背面部３２ｂの箱状部分）と外箱２の背面板２ｂとの間に配置されるが、放音部３０ａ側には振動吸収材５０が配置されない。また、外箱２の前面板２ａ（取付部材の第１の部分）と内箱３２の前面部３２ａ（筐体の第１の部分）との間は封止部材８０で封止されている。
封止部材８０は音の伝達を低減する部材であり、例えば、グリス、ゴム、または独立気泡のスポンジを封止部材８０として用いてよい。
【００４３】
図８Ｂは図７Ｂの変形例である。図８Ｂに示す例では、内箱３２は、図７Ｂを参照して説明した内箱３２と同様に、箱状部分と、当該箱状部分からＺ軸正方向に突出する第１の円筒状部分（内箱３２の背面部３２ｂに含まれる）と、箱状部分からＺ軸負方向に突出する第２の円筒状部分（内箱３２の前面部３２ａに含まれる）とを有する。ただし、図８Ｂの例では、第１の円筒状部分は底部を有さない。すなわち、図７Ｂでは円筒状部分のうちＺ軸正側の端部（底部）が閉塞された構成を例示したが、図８Ｂの構成では、円筒状部分の底部が開口部３６により開放されている。図８Ａに示す例と同様に、図８Ｂにおいても、スピーカーユニット３０の中心軸方向における外箱２の長さｄ１と内箱３２の長さｄ２とはいずれもスピーカーユニット３０の長さｄ３を超えず、スピーカーユニット３０の中心軸方向における音声出力装置１の長さがスピーカーユニット３０の長さｄ３と略同一である。具体的には、スピーカーユニット３０の中心軸方向において、外箱２の前面板２ａの外側の面と、内箱３２の前面部３２ａの第２の円筒状部分の上端面とのそれぞれが、放音面と略同一面上に位置し、外箱２の背面板２ｂの外側の面と、内箱３２の背面部３２ｂの第１の円筒状部分の下端面とのそれぞれが、スピーカーユニット３０の背面と略同一面上に位置するように構成されている。
【００４４】
図８Ｂにおいても、図７Ｂに示す構成例と同様に、外箱２の前面板２ａと内箱３２の前面部３２ａ（より正確には前面部３２ａの箱状部分）との間に振動吸収材５０が配置され、外箱２の背面板２ｂと内箱３２の背面部３２ｂ（より正確には背面部３２ｂの箱状部分）との間に振動吸収材５１が配置される。また、外箱２の前面板２ａ（取付部材の第１の部分）と内箱３２の前面部３２ａ（筐体の第１の部分）（より正確には前面部３２ａの第２の円筒状部分）との間と、外箱２の背面板２ｂ（取付部材の第２の部分）と内箱３２の背面部３２ｂ（筐体の第２の部分）（より正確には背面部３２ｂの第１の円筒状部分）との間は、封止部材８０で封止されている。 
【００４５】
以上の構成によれば、上述した第１実施形態の効果と同様の効果が奏される。また、内箱３２が密閉される構成では、内箱３２内に空気の圧縮による空気バネが発生するため、スピーカーユニット３０の放音部３０ａ（例えば振動板）の振動が阻害されるが、本態様の構成では内箱３２が開口部３６を有するため、スピーカーユニット３０と内箱３２との間に空気バネが発生しない。そのため、放音部３０ａの十分な振動が可能となり、スピーカーユニット３０が、音圧が高い音を放射しやすくなる。さらに、スピーカーユニット３０の中心軸方向において、外箱２の長さｄ１と内箱３２の長さｄ２とのそれぞれがスピーカーユニット３０の長さｄ３と同じまたはそれ未満となるように音声出力装置１が構成されるため、外箱２の長さｄ１と内箱３２の長さｄ２との少なくとも一方がスピーカーユニットの長さよりも長い構成（例えば、図７Ａおよび図７Ｂに例示される構成）と比べ、本態様による音声出力装置１は小型化される。また、外箱２と内箱３２との間が、封止部材８０によって封止されているため、スピーカーユニット３０の後部３０ｂから放射され、外箱２と内箱３２との間を通ってスピーカーユニット３０の放音部３０ａ側へ伝達される音（すなわち、スピーカーユニット３０の後部３０ｂから放射された音の放音部３０ａ側への回り込み）が低減される。
【００４６】
なお、図８Ｂは、外箱２の前面板２ａと内箱３２の前面部３２ａとの間、および、外箱２の背面板２ｂと内箱３２の背面部３２ｂとの間を封止部材８０で封止する例を示す。しかし、外箱２の前面板２ａと内箱３２の前面部３２ａとの間のみを封止してもよいし、外箱２の背面板２ｂと内箱３２の背面部３２ｂとの間のみを封止してもよい。なお、放音部３０ａ側への回り込みを防ぐ観点から、放音部３０ａ側において外箱２の前面板２ａと内箱３２の前面部３２ａとの間を封止する態様がより好適である。
【００４７】
＜変形例の態様２＞
図９Ａおよび図９Ｂが示す態様２の例において、内箱３２は、第１実施形態で例示した背面部３２ｂ（筐体の第２の部分）が省略され、Ｚ軸正側が開放された構造を有する。すなわち、内箱３２は底部のない箱状部分と当該箱状部分からＺ軸の負の方向に突出する円筒状部分とを有する。また、態様１と同様に、態様２の例においても、外箱２の長さｄ１と内箱３２の長さｄ２とはいずれもスピーカーユニット３０の長さｄ３を超えず、スピーカーユニット３０の中心軸方向における音声出力装置１の長さがスピーカーユニット３０の長さｄ３と略同一である。また、いずれの例においても、外箱２の前面板２ａ（取付部材の第１の部分）と内箱３２の前面部３２ａ（筐体の第１の部分）との間が、封止部材８０で封止されている。
【００４８】
図９Ａに示す例では、スピーカーユニット３０の中心軸方向（Ｚ軸方向）において、外箱２の前面板２ａの外側の面と、内箱３２の前面部３２ａのうち円筒状部分の上端面とはいずれも、放音面と略同一面上に位置する。外箱２の背面板２ｂの外側の面は、スピーカーユニット３０の背面と略同一面上に位置し、内箱３２の側部３２ｃの、後部３０ｂ側（放音部３０ａと反対側の）の端面（「縁」とも表現され得る）は、後部３０ｂから見てＺ軸負側に位置する。また、本例の音声出力装置１は、外箱２の前面板２ａと内箱３２の前面部３２ａ（より正確には前面部３２ａの箱状部分）との間に振動吸収材５０を有し、外箱２の背面板２ｂ（取付部材の第２の部分）と内箱３２の側部３２ｃ（筐体の第３の部分）との間に振動吸収材５１を有する。より正確には、振動吸収材５１は外箱２の背面板２ｂと内箱３２の側部３２ｃの縁との間に配置される。
【００４９】
図９Ｂに示す例では、外箱２は、第１実施形態で例示した背面板２ｂ（取付部材の第２の部分）が省略され、Ｚ軸正側が開放された構造を有する。スピーカーユニット３０の中心軸方向において、外箱２の前面板２ａの外側の面と、内箱３２の前面部３２ａのうち円筒状部分の上端面とはいずれも、放音面と略同一面上に位置し、外箱２の側板２ｃの後部３０ｂ側の端面と、内箱３２の側部３２ｃの後部３０ｂ側の端面とのそれぞれが、スピーカーユニット３０の背面と略同一面上に位置するように構成されている。また、本例の音声出力装置１は、外箱２の前面板２ａと内箱３２の前面部３２ａ（より正確には前面部３２ａの箱状部分）との間に振動吸収材５０を有する。
【００５０】
以上の構成によれば、第１実施形態の効果と同様の効果が奏される。また、スピーカーユニット３０を内包する内箱３２が背面部３２ｂを有さない（Ｚ軸正側が開放されている）ため、内箱が密閉される構成と比較して、スピーカーユニット３０が、音圧が高い音を放射しやすくなる。
また、内箱３２のＺ軸正側が開放されているため、スピーカーユニット３０の中心軸方向において、外箱２の長さｄ１と内箱３２の長さｄ２とのそれぞれがスピーカーユニット３０の長さｄ３と同じまたはそれ未満となるように音声出力装置１が構成され得る。そのため、外箱２の長さｄ１と内箱３２の長さｄ２との少なくとも一方がスピーカーユニットの長さよりも長い構成（例えば、図７Ａおよび図７Ｂに示される構成）と比べ、本態様による音声出力装置１は小型化される。また、外箱２の前面板２ａと内箱３２の前面部３２ａとの間が封止部材８０によって封止されているため、スピーカーユニット３０の後部３０ｂから放射され、外箱２と内箱３２との間を通って放音部３０ａ側へ伝達される音（すなわち、スピーカーユニット３０の後部３０ｂから放射された音の放音部３０ａ側への回り込み）が低減される。
【００５１】
なお、図８Ａないし図９Ｂに示す例において、音声出力装置１が取り付けられる物７（例えば自動車の内装）が有する空間、例えば自動車の内装の内側の空間が、スピーカーユニット３０の後部３０ｂから放射された音の放音部３０ａ側への回り込み（外箱２の外側を通った回り込み）を防ぐエンクロージャーとして機能し得る。
【００５２】
また、図８Ａないし図９Ｂは、外箱２の長さｄ１および内箱３２の長さｄ２がスピーカーユニット３０の長さｄ３と略同一である例を示すが、音声出力装置１の長さがスピーカーユニット３０の長さｄ３を超えない範囲において、外箱２の長さｄ１および内箱３２の長さｄ２は、任意に変更可能である。
【００５３】
また、内箱３２が側部３２ｃのみを有する構成も採用可能である。この場合、外箱２の前面板２ａと内箱の側部３２ｃのうち放音部３０ａ側の端面（縁）との間に振動吸収材５０が配置され、外箱２の背面板２ｂと内箱３２の側部３２ｃのうち後部３０ｂ側の端面（縁）との間に振動吸収材５１が配置されてよい。
【００５４】
また、封止部材８０が内箱３２から外箱２へ伝わる振動を低減する作用を有する場合には、音声出力装置１は、振動吸収材５０および５１を備えず封止部材８０のみを備えるように構成されてもよい。すなわち、封止部材８０が振動吸収材としても機能する構成も採用可能である（振動吸収材５０および５１が封止部材８０として機能するとも理解され得る）。この場合、封止部材８０は、図示されている位置でなく、振動吸収材５０および５１の位置に配置されてもよい。また、振動吸収材５０および５１を封止部材８０として機能させる場合、スピーカーユニット３０の後部３０ｂから放射された音が放音部３０ａ側へ回り込まないように、振動吸収材５０および５１が外箱２と内箱３２との間（例えば、前面板２ａと前面部３２ａの箱状部分との間、背面板２ｂと背面部３２ｂの箱状部分との間、等）を封止する構成とすればよい。
【００５５】
また、以上では外箱２が箱形状である例が示されるが、外箱２は、振動吸収材を介して内箱３２を物に取り付けるものであれば、例えば板状でもよいし、円柱状でもよい。外箱２が板状である場合、前面板２ａが取付部材の第１の部分に対応する。外箱２が、その中心軸がＺ軸と平行な円柱状である場合、当該円柱のうち、放音部３０ａ側の面が前面板２ａ（取付部材の第１の部分）に対応し、後部３０ｂ側の面が背面板２ｂ（取付部材の第２の部分）に対応し、円筒部分が側板２ｃ（取付部材の第３の部分）に対応する。
同様に、以上では内箱３２の前面部３２ａおよび側部３２ｃは平板状であるが、例えば側部３２ｃが筒状等の他の形状でもよい。具体的には、内箱３２が、その中心軸がＺ軸と平行である円柱状でもよい。この場合、当該円柱のうち、放音部３０ａ側の面が前面部３２ａ（筐体の第１の部分）に対応し、後部３０ｂ側の面が背面部３２ｂ（筐体の第２の部分）に対応し、円筒部分が側部３２ｃ（筐体の第３の部分）に対応する。
【００５６】
＜第２実施形態＞
次に、図１０および１１を参照しつつ、本発明の第２実施形態を説明する。なお、以下に例示する各形態において、作用や機能が第１実施形態と同様である要素については、第１実施形態の説明で使用した符号を流用して各々の詳細な説明を適宜に省略する。
【００５７】
図１０は第２実施形態における音声出力装置１の解析モデルを示す図であり、図１１は当該解析モデルの等価回路を示す図である。スピーカーユニット３０は、振動により音を放射する可動部３０１と、非可動部３０２と、可動部３０１と非可動部３０２とを接続する弾性部材３０３とを有する。可動部３０１には、例えば、振動板（放音部３０ａ）および振動板に振動を伝えるボイスコイルが含まれる。非可動部３０２には、例えば、振動板およびボイスコイルを固定するフレームが含まれる。弾性部材３０３は、例えば振動板とフレームとをつなぐエッジである。
図１０に示す解析モデルのように、可動部３０１の質量をＬｓ、内箱３２の内部の空気のコンプライアンスをＣａ、弾性部材３０３のコンプライアンスをＣｓ、内箱３２と非可動部３０２との質量の合計をＬｂ、内箱３２と非可動部３０２との抵抗成分の合計をＲｂとする。また、振動吸収材５０のコンプライアンスをＣｂ、外箱２と音声出力装置１の取り付け先である物７(例えば、自動車の内装）との質量の合計をＬｍ、外箱２と物７とのコンプライアンスの合計をＣｍ、外箱２と物７との抵抗成分の合計をＲｍとする。
【００５８】
本実施形態における音声出力装置１は、図１１に示すような等価回路として表すことができる。図１１において、Ｖｓは可動部３０１を駆動する力を表し、Ｉｍは外箱２と物７とにおける振動速度を表す。図１１に示す等価回路において、内箱３２と非可動部３０２との質量の合計Ｌｂと、振動吸収材５０のコンプライアンスＣｂとによりローパスフィルターが構成される。ここで、可動部３０１の質量Ｌｓと、弾性部材３０３のコンプライアンスＣｓと、内箱３２の内部の空気のコンプライアンスＣａとによる共振周波数をｆ１と表す。また、内箱３２と非可動部３０２との質量の合計Ｌｂと、振動吸収材５０のコンプライアンスＣｂとで構成されるローパスフィルターのカットオフ周波数をｆ２と表す。本実施形態においては、共振数端数ｆ１とカットオフ周波数ｆ２とが、以下の関係を満たすように設計される。
（数１）
ｆ２＜ｆ１
【００５９】
本実施形態によれば、外箱２に伝達される、スピーカーユニット３０（可動部３０１）の振動が、内箱３２と非可動部３０２との質量の合計Ｌｂと、振動吸収材５０のコンプライアンスＣｂとで構成されるローパスフィルターにより低減される。そのため、マイク４の周辺に伝わるスピーカーユニット３０の振動が低減される。また、振動により発生する雑音が低減される（すなわち、マイク４に伝達される雑音が低減する）ため、エコーキャンセルの性能が改善され得る。
【００６０】
＜第３実施形態＞
次に、添付図面を参照しつつ、本発明の第３実施形態を説明する。
図１２Ａは本実施形態に係る音声出力装置１の断面をＺ軸上で分解して示した図であり、図１２Ｂは本実施形態に係る音声出力装置１の断面を示す図である。図１２Ａに示すように、本実施形態においては、内箱３２の前面部３２ａ側に設ける振動吸収材として、２種類のバネを用いる。つまり、第１実施形態で振動吸収材５０として用いたバネ部材の他に、別のバネ部材（振動吸収材５２）をさらに設ける。振動吸収材５２は、振動吸収材５０として用いられるバネ部材よりも大きいバネ定数を有する。外箱２の前面板２ａの内側の面（内箱３２の前面部３２ａ側の面）には保持部２６が形成され、振動吸収材５２の一端は当該保持部２６に取り付けられる。具体的には、振動吸収材５２の一端が、例えば凹形状の保持部２６の凹部に挿入される。
【００６１】
図１２Ｂに示すように、通常の状態においては、振動吸収材５２の他端は、内箱３２の前面部３２ａには接触していない。しかし、内箱３２に振動による過剰な加速度が加わった場合には、振動吸収材５２の他端が内箱３２の前面部３２ａに接触する。すなわち、振動吸収材５２を設けることで、内箱３２が振動する際の内箱３２と外箱２の前面板２ａとの衝突が防止され得る。
【００６２】
このように、本実施形態によれば、内箱３２の前面部３２ａに、バネ定数の異なる２種類のバネ部材（振動吸収材）が設けられるため、内箱３２に過剰な加速度が加わった場合でも、内箱３２と外箱２との衝突が防止され、ひいては衝突により発生する雑音が低減され得る。
【００６３】
なお、２種類のバネ部材を用いることなく、振動吸収材５０として、非線形バネを用いてもよい。例えば、バネ部材を円錐形状に巻き、かかる荷重が大きくなるとバネ定数が高くなる（硬くなる）バネを用いてもよい。また、バネ部材を円柱形状に巻き、巻き数に粗密があるようにした非線形バネを用いてもよい。このような非線形バネを用いた場合でも、過剰な加速度が加わった場合に、内箱３２が外箱２の内面に接触する前にバネ定数が上昇し、内箱３２と外箱２との衝突が防止される。そのため、内箱３２と外箱２とが衝突することにより発生する雑音が低減され得る。
【００６４】
本実施形態においても、振動を吸収する振動吸収材としてバネ以外の弾性部材（例えば、硬度の異なる樹脂、スポンジ）を用いてもよいし、弾性部材以外の部材（例えば、ジェル）を用いてもよい。あるいは、弾性部材およびそれ以外の部材を適宜組み合わせて用いてもよい（例えば、バネ部材とスポンジ、スポンジとジェル）。
【００６５】
＜第４実施形態＞
次に、図１３および１４を参照しつつ、本発明の第４実施形態を説明する。
第１ないし第３実施形態においては、音声出力装置１が、スピーカーユニット３０を内包する内箱３２（筐体）を有し、振動吸収材５０および５１が外箱２（取付部材）と内箱３２との間に介在する例を示した。これに対し、本実施形態に係る音声出力装置１は、内箱３２を有さず、振動吸収材５０が取付部材とスピーカーユニット３０との間に介在する。
【００６６】
図１３は、第４実施形態に係る音声出力装置１の概略構成を示す正面図である。本実施形態の音声出力装置１は、板状部材１０２（取付部材）と、スピーカーユニット３０とを備える。上述の実施形態においては取付部材として箱形状の外箱２を用いる例を示したが、図１３に示すように、本実施形態の例においては、外箱２に代えて板状部材１０２が取付部材として用いられる（外箱２が前面板２ａのみを有する構成としても理解され得る）。
本実施形態の板状部材１０２は略矩形状を有する。図１３に示されるように、板状部材１０２はスピーカーユニット３０のＺ軸負側に位置し、放音面と略平行である。すなわち、板状部材１０２は、取付部材のうちの放音部３０ａ側の部分（取付部材の第１の部分）に対応する（第１の部分のみを有する取付部材とも理解され得る）。板状部材１０２には、スピーカーユニット３０の放音部３０ａを露出させる、放音部３０ａの形状に対応する開口部１２０が形成されている（図１３において破線で示される）。板状部材１０２の内側の面（スピーカーユニット３０側の面）の四隅には、例えば凹形状の保持部２４が形成される。
【００６７】
スピーカーユニット３０は、音響信号に応じて振動し音を発生させる部分（例えば振動板）である放音部３０ａに加えて、放音部３０ａが振動可能なように固定されるフレーム７１を有する。フレーム７１は、放音部３０ａを収容する収容部分７１ａ（図１３において放音部３０ａの位置が点線にて示される）と、放音面と略平行な略矩形状の板状部分７１ｂとを有する。図１３に示されるように、本実施形態の収容部分７１ａは、その中心軸がＺ軸と平行であり、Ｚ軸の負方向（放音面の方向）に向かって広がった円錐台状形状を有する。フレーム７１の板状部分７１ｂは、放音部３０ａを露出させる開口部７２（図１３において破線で示される）を有し、収容部分７１ａのＺ軸負側（板状部材１０２側）に配置される。板状部分７１ｂにおける板状部材１０２側の面の四隅には、例えば表面から突出する保持部７３が形成される。
【００６８】
図１４は、音声出力装置１をＹ軸の正側から見た場合の、音声出力装置１の断面の一例を示す模式図である。なお、図示の簡易のため、図１４において、保持部２４および７３、ならびに、スピーカーユニット３０の詳細（フレーム７１等）の図示は省略されている（後述の図１６および図１７についても同様である。）。
図１３および１４に示されるように、板状部材１０２と、スピーカーユニット３０との間には、振動吸収材５０（離間部材）が介在する。振動吸収材５０は、板状部材１０２とスピーカーユニット３０とを離間させた状態で両者の間に介在することにより、スピーカーユニット３０の振動を吸収する部材である。上述の実施形態と同様に、本実施形態において、振動吸収材５０の一例としてコイル状のバネ部材が用いられる。振動吸収材５０の一方の端部は、板状部材１０２に形成された保持部２４に取り付けられ、当該振動吸収材５０の他方の端部は、スピーカーユニット３０（板状部分７１ｂ）に形成された保持部７３に取り付けられる。より具体的には、例えば表面から突出した保持部７３がバネ部材の一方の端部に挿入され、当該バネ部材の他方の端部が例えば凹形状の保持部２４の凹部に挿入される。本実施形態において、振動吸収材５０は、スピーカーユニット３０を板状部材１０２に固定する部材としても機能する。
なお、説明の簡易のため、以下では保持部（２４および７３）の説明を省略する場合がある。例えば、「振動吸収材５０が、板状部材１０２とスピーカーユニット３０との間に介在する」との説明は、「振動吸収材５０が、板状部材１０２の保持部２４とスピーカーユニット３０の保持部７３との間に介在する」ことを意味する。
【００６９】
板状部材１０２とスピーカーユニット３０（より正確には、スピーカーユニット３０のフレーム７１の板状部分７１ｂ）との間には、封止部材８０が設けられる。封止部材８０は、板状部材１０２の開口部１２０の周縁部と、放音部３０ａの周縁部（より正確には、板状部分７１ｂの開口部７２の周縁部）との間を封止する。具体的には、封止部材８０は、板状部材１０２と板状部分７１ｂとの間に介在する筒状の部材であり、一端が板状部材１０２の開口部１２０の周縁部に設置されるとともに他端が板状部分７１ｂの開口部７２の周縁部に設置される。板状部分７１ｂの開口部７２と板状部材１０２の開口部１２０とは、封止部材８０の内側の空間を介して相互に連通する。したがって、放音部３０ａが生成した音は、板状部分７１ｂの開口部７２と封止部材８０の内側の空間と板状部材１０２の開口部１２０とを通過して外部空間に放射される。封止部材８０は、板状部分７１ｂの開口部７２から板状部材１０２の開口部１２０に至る空間を、その外側の空間から遮断するための要素とも表現され得る。
封止部材８０は、音の伝達を低減する部材であり、本実施形態ではその一例としてゴム部材が用いられる。
【００７０】
図１４に示されるように、音声出力装置１は、例えば自動車の内装などの、任意の物７に取り付けられる。具体的には、スピーカーユニット３０の放音部３０ａが車内を向くよう、開口部１２０が形成された板状部材１０２の外側の面（スピーカーユニット３０側と反対側の面）が、内装の裏面と対向するように取り付けられる。つまり、板状部材１０２は、スピーカーユニット３０を物７に取り付けるための取付部材としての機能を有する。物７は、例えば、自動車内装の天井部分（例えば、ルームランプまたは／およびマップランプ近傍）、ダッシュボード、ドア等である。
なお、図示の簡易のため、図１４において、また、音声出力装置１が取り付けられる物７は、その一部のみが図示される。後述の図１６および図１７についても同様である。
【００７１】
本実施形態においては、上述のように、スピーカーユニット３０が、振動吸収材５０（離間部材）を介して、板状部材１０２（取付部材）から離間するように取り付けられる。そのため、スピーカーユニット３０により音が発せられた場合でも、そのスピーカーユニット３０が発する振動が、振動吸収材５０によって吸収される。したがって、音声出力装置１が、例えば自動車の内装である物７に取り付けられた場合に、板状部材１０２を介して物７に伝わる振動（スピーカーユニット３０が発する振動）が低減され、ひいては当該振動により発生する雑音が低減され得る。また、板状部材１０２の開口部１２０の周縁部と、放音部３０ａの周縁部との間が封止部材８０によって封止されるため、スピーカーユニット３０の後部３０ｂから放射され、放音部３０ａ側へ伝達される音（すなわち、スピーカーユニット３０の後部３０ｂから放射された音の放音部３０ａ側への回り込み）が低減される。すなわち、音の回りこみを低減するという、第１ないし第３実施形態における内箱３２と同様の機能が封止部材８０によって果たされ、同様の効果が奏される。
なお、本実施形態に係る音声出力装置１はマイクを備えないが、マイクがスピーカーユニット３０の近傍に設けられてもよい。本実施形態の構成によれば、物７に伝わる振動が低減されるため、スピーカーユニット３０近傍のマイクに伝達される、当該振動が原因となって発生する雑音が低減される。そのため、上述の効果に加え、エコーキャンセルの性能劣化を緩和するという効果も奏される。
【００７２】
なお、本実施形態では振動吸収材５０としてバネ部材用いる構成を例示したが、振動を吸収する部材であれば、バネ部材に限定されない。振動吸収材５０としては、バネ部材以外の弾性部材（例えば、スポンジ、樹脂）を用いてもよいし、他の部材（例えば、ジェル）を用いてもよい。
【００７３】
また、以上では封止部材８０が板状部材１０２の開口部１２０の周縁部と放音部３０ａの周縁部との間に設けられる構成を例示したが、後部３０ｂから放射された音の放音部３０ａ側への回りこみが低減されるのであれば、他の場所に設けられてもよい。図１３の例では、封止部材８０はＸ軸上で振動吸収材５０から見てスピーカーユニット３０の中心軸側（すなわち、振動吸収材５０よりも内側）に位置するが、例えば、封止部材８０は、当該中心軸から見て振動吸収材５０よりも離れた位置（すなわち、振動吸収材５０よりも外側）に設けられてもよい。また、図１３および１４では、取付部材（板状部材１０２）が板状である例を示したが、取付部材が第１実施形態で説明されたような前面板２ａおよび側板２ｃを有する構成も採用し得る。この場合、封止部材８０は、側板２ｃとスピーカーユニット３０（例えばフレーム７１の板状部分７１ｂ）との間に設けられてもよい。
【００７４】
以上では板状部分７１ｂが略矩形状である例を説明したが、例えば円形状でもよいし、他の形状でもよい。また、板状部分７１ｂの表面は、平面でなくてもよい。
同様に、以上では収容部分７１ａが円錐台状である例を示したが、例えば四角錐台状または直方体状でもよいし、他の形状でもよい。
【００７５】
また、以上では、振動吸収材５０がスピーカーユニット３０を板状部材１０２に固定する部材としても機能する例を示したが、封止部材８０がスピーカーユニット３０を板状部材１０２に固定してもよい。また、物７に伝わる振動の低減という機能を妨げない範囲で、他の要素がスピーカーユニット３０を板状部材１０２に固定してもよい。
【００７６】
＜第４実施形態の変形例＞
第４実施形態に係る音声出力装置１は種々の変形が可能である。次に述べる態様から任意に選択された複数の態様は、矛盾しないかぎり適宜に組み合わされてよい。
【００７７】
＜変形例の態様１＞
第４実施形態では封止部材８０としてゴム部材を用いる構成を例示したが、音の伝達を低減する他の部材、例えばグリスまたは独立気泡のスポンジを封止部材８０として用いてもよい。
図１５は、態様１に係る音声出力装置１の概略構成を示す。態様１では、グリスを封止部材８０として用いる。板状部材１０２のスピーカーユニット３０側の面には、内筒４０１と、内筒４０１の外径よりも大きい内径を有する外筒４０２とが開口部１２０の周囲に同心に形成される。スピーカーユニット３０の板状部分７１ｂのうち板状部材１０２側の面には、円筒状部分５０１が開口部７２の周囲に同心に形成される。円筒状部分５０１の内径は内筒４０１の外径よりも大きく、円筒状部分５０１の外径は外筒４０２の内径よりも小さい。また、内筒４０１、外筒４０２、および円筒状部分５０１のそれぞれのＺ軸方向の長さ（高さ）は、板状部材１０２とスピーカーユニット３０との間に介在する離間部材のＺ軸方向の長さよりも短い。
図示のように、音声出力装置１が組み立てられた状態において、円筒状部分５０１は、内筒４０１と外筒４０２との間に差し込まれる。すなわち、内筒４０１と外筒４０２との間は、円筒状部分５０１を差し込み可能な程度に離間している。内筒４０１と外筒４０２との間の空間をグリス（封止部材８０）が埋めることにより、板状部材１０２の開口部１２０の周縁部と放音部３０ａの周縁部（より正確には、板状部分７１ｂの開口部７２の周縁部）との間が封止される。例えば、内筒４０１と外筒４０２との間にグリス（封止部材８０）が注入された状態で、内筒４０１と外筒４０２との間に円筒状部分５０１が差し込まれることにより、音声出力装置１が組み立てられてもよい。
【００７８】
以上の構成においても、第４実施形態と同様の効果が奏される。
【００７９】
＜変形例の態様２＞
図１６は、態様２に係る音声出力装置１をＹ軸の正側から見た場合の、音声出力装置１の断面の一例を示す模式図である。図示のように、態様２に係る音声出力装置１は、振動吸収材５０および封止部材８０に代えて、振動吸収材５３（離間部材）を備える。振動吸収材５３は、第４実施形態で説明された振動吸収材５０および封止部材８０として機能する部材である。振動吸収材５３は、板状部材１０２とスピーカーユニット３０とを離間させた状態で両者の間に介在することにより、スピーカーユニット３０の振動を吸収する。また、振動吸収材５３は、音の伝達を低減する部材であり、板状部材１０２とスピーカーユニット３０との間を封止する。より具体的には、振動吸収材５３は、板状部材１０２の開口部１２０の周縁部と、スピーカーユニット３０の放音部３０ａの周縁部（より正確には、板状部分７１ｂの開口部７２の周縁部）との間を封止する。振動吸収材５３は、例えばゴム部材である。
なお、態様２において、板状部材１０２は、保持部２４を有さなくてもよい。また、スピーカーユニット３０は、保持部７３を有さなくてもよい。
【００８０】
以上の構成においても、第４実施形態と同様の効果が奏される。スピーカーユニット３０により音が発せられた場合でも、そのスピーカーユニット３０が発する振動が、振動吸収材５３によって吸収される。したがって、音声出力装置１が、例えば自動車の内装である物７に取り付けられた場合に、板状部材１０２を介して物７に伝わる振動（スピーカーユニット３０が発する振動）が低減され、ひいては当該振動により発生する雑音が低減され得る。また、板状部材１０２の開口部１２０の周縁部と、放音部３０ａの周縁部との間が振動吸収材５３によって封止されるため、スピーカーユニット３０の後部３０ｂから放射され、スピーカーユニット３０の放音部３０ａ側へ伝達される音（すなわち、スピーカーユニット３０の後部３０ｂから放射された音の放音部３０ａ側への回り込み）が低減される。さらに、振動吸収材５３が振動吸収材５０および封止部材８０として機能するため、振動吸収材５０および封止部材８０が別々に設けられる構成と比較し、音声出力装置１の製造に用いる部品点数が減少し、製造工数が減少し得る。ひいては、コストが削減され得る。
【００８１】
＜変形例の態様３＞
図１７は、態様３に係る音声出力装置１をＹ軸の正側から見た場合の、音声出力装置１の断面の一例を示す模式図である。図示のように、態様３に係る音声出力装置１は、第４実施形態に係る音声出力装置１と同様に、スピーカーユニット３０と、振動吸収材５０（離間部材）と、封止部材８０とを備える。ただし、態様３に係る音声出力装置１は、板状部材１０２（取付部材）を備えない。態様３において、振動吸収材５０は、音声出力装置１の取り付け先である物７とスピーカーユニット３０を離間させた状態で両者の間に介在し、スピーカーユニット３０の振動を吸収する。封止部材８０は、物７（より正確には、放音部３０ａが生成した音を通過させるために物７に設けられている開口部の周縁部）とスピーカーユニット３０（より正確には、板状部分７１ｂの開口部７２の周縁部）との間を封止する。
【００８２】
以上の構成においても、第４実施形態と同様の効果が奏される。スピーカーユニット３０により音が発せられた場合でも、そのスピーカーユニット３０が発する振動が、振動吸収材５０によって吸収される。したがって、音声出力装置１が、例えば自動車の内装である物７に取り付けられた場合に、振動吸収材５０を介して物７に伝わる振動（スピーカーユニット３０が発する振動）が低減され、ひいては当該振動により発生する雑音が低減され得る。また、物７の開口部と、放音部３０ａの周縁部との間が封止部材８０によって封止されるため、スピーカーユニット３０の後部３０ｂから放射され、スピーカーユニット３０の放音部３０ａ側へ伝達される音（すなわち、スピーカーユニット３０の後部３０ｂから放射された音の放音部３０ａ側への回り込み）が低減される。さらに、態様３の構成では、取付部材（板状部材１０２）を介さずにスピーカーユニット３０が物７に取り付けられるため、取付部材を備える構成と比較し、音声出力装置１の製造に用いる部品点数が減少し、製造工数が減少し得る。ひいては、コストが削減され得る。
【００８３】
なお、本実施形態および本実施形態の変形例の各態様において、音声出力装置１が取り付けられる物７（例えば自動車の内装）が有する空間、例えば自動車の内装の内側の空間が、スピーカーユニット３０の後部３０ｂから放射された音の放音部３０ａ側への回り込みを防ぐエンクロージャーとして機能し得る。
【符号の説明】
【００８４】
１…音声出力装置、２…外箱（取付部材）、２ａ…外箱の前面板（取付部材の第１の部分）、２ｂ…外箱の背面板（取付部材の第２の部分）、２ｃ…外箱の側板（取付部材の第３の部分）、３…スピーカー、４…マイク、７…物、２０,２１,２２…開口部、２３…凹部、２４,２５，２６…保持部、３０…スピーカーユニット、３０ａ…スピーカーユニットの放音部、３０ｂ…スピーカーユニットの後部、３０ｃ…スピーカーユニットの側壁、３２…内箱（筐体）、３２ａ…内箱の前面部（筐体の第１の部分）、３２ｂ…内箱の背面部（筐体の第２の部分）、３２ｃ…内箱の側部（筐体の第３の部分）、３３，３４…保持部、３５,３６…開口部、５０，５１…振動吸収材（離間部材）、５２…振動吸収材（別のバネ部材）、５３…振動吸収材（離間部材）、６０…信号処理ＩＣ、７１…フレーム、７１ａ…フレームの収容部分、７１ｂ…フレームの板状部分、７２…開口部、７３…保持部、８０…封止部材、１０２…板状部材（取付部材）、１２０…開口部、３０１…スピーカーユニットの可動部、３０２…スピーカーユニットの非可動部、３０３…スピーカーユニットの弾性部材、４０１…内筒、４０２…外筒、５０１…円筒状部分。
【図１】
2017022254.tif 000003
【図２Ａ】
2017022254.tif 000004
【図２Ｂ】
2017022254.tif 000005
【図２Ｃ】
2017022254.tif 000006
【図２Ｄ】
2017022254.tif 000007
【図２Ｅ】
2017022254.tif 000008
【図２Ｆ】
2017022254.tif 000009
【図３Ａ】
2017022254.tif 000010
【図３Ｂ】
2017022254.tif 000011
【図３Ｃ】
2017022254.tif 000012
【図３Ｄ】
2017022254.tif 000013
【図３Ｅ】
2017022254.tif 000014
【図３Ｆ】
2017022254.tif 000015
【図４】
2017022254.tif 000016
【図５Ａ】
2017022254.tif 000017
【図５Ｂ】
2017022254.tif 000018
【図５Ｃ】
2017022254.tif 000019
【図６】
2017022254.tif 000020
【図７Ａ】
2017022254.tif 000021
【図７Ｂ】
2017022254.tif 000022
【図８Ａ】
2017022254.tif 000023
【図８Ｂ】
2017022254.tif 000024
【図９Ａ】
2017022254.tif 000025
【図９Ｂ】
2017022254.tif 000026
【図１０】
2017022254.tif 000027
【図１１】
2017022254.tif 000028
【図１２Ａ】
2017022254.tif 000029
【図１２Ｂ】
2017022254.tif 000030
【図１３】
2017022254.tif 000031
【図１４】
2017022254.tif 000032
【図１５】
2017022254.tif 000033
【図１６】
2017022254.tif 000034
【図１７】
2017022254.tif 000035
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
放音部を有するスピーカーユニットと、
前記スピーカーユニットを物に取り付ける取付部材と、
前記スピーカーユニットと前記取付部材との間に設けられ、前記スピーカーユニットを前記取付部材から離間させる離間部材と、
前記スピーカーユニットと前記取付部材との間に設けられ、前記スピーカーユニットの前記放音部の反対側から放射され、前記放音部側へ伝達される音を低減する封止部材と、
を備え、
前記取付部材は、前記スピーカーユニットの前記放音部側の第１の部分を有し、
前記取付部材の前記第１の部分は、前記放音部に対応する開口部を有し、
前記離間部材の一端は前記スピーカーユニットに取り付けられ、前記離間部材の他端は前記取付部材に取り付けられ、
前記封止部材の一端は前記スピーカーユニットに取り付けられ、前記封止部材の他端は前記取付部材に取り付けられる、
ことを特徴とする音声出力装置。
【請求項２】
放音部を有するスピーカーユニットと、
前記スピーカーユニットを物に取り付ける取付部材と、
前記スピーカーユニットと前記取付部材との間に設けられ、前記スピーカーユニットを前記取付部材から離間させる離間部材と、
を備え、
前記離間部材は、前記スピーカーユニットの前記放音部の反対側から放射され、前記放音部側へ伝達される音を低減し、
前記離間部材の一端は前記スピーカーユニットに取り付けられ、前記離間部材の他端は前記取付部材に取り付けられ、
前記取付部材は、前記スピーカーユニットの前記放音部側の第１の部分を有し、
前記取付部材の前記第１の部分は、前記放音部に対応する開口部を有する
ことを特徴とする音声出力装置。
【請求項３】
放音部を有するスピーカーユニットを内包する筐体と、
前記筐体を物に取り付ける取付部材と、
前記筐体と前記取付部材との間に設けられ、前記筐体を前記取付部材から離間させる複数の離間部材と、を備え、
前記筐体は、前記スピーカーユニットの前記放音部側の第１の部分を有し、
前記取付部材は、前記スピーカーユニットの前記放音部側の第１の部分を有し、
前記筐体の前記第１の部分および前記取付部材の前記第１の部分は、それぞれ、前記放音部に対応する開口部を有する
ことを特徴とする音声出力装置。
【請求項４】
前記取付部材は、前記スピーカーユニットの前記放音部の反対側に位置する第２の部分を有し、当該第２の部分に開口部を有する
ことを特徴とする請求項３に記載の音声出力装置。
【請求項５】
前記取付部材は、前記スピーカーユニットの側壁側の第３の部分を有し、当該第３の部分に開口部を有する
ことを特徴とする請求項３または４に記載の音声出力装置。
【請求項６】
前記複数の離間部材は、前記筐体の前記第１の部分と、前記取付部材の前記第１の部分との間に配置される
ことを特徴とする請求項３ないし請求項５のいずれかに記載の音声出力装置。
【請求項７】
前記複数の離間部材は、バネ部材であり、
前記バネ部材よりもバネ定数が大きい別のバネ部材が、前記筐体と前記取付部材との間にさらに設けられている
ことを特徴とする請求項３ないし請求項６のいずれかに記載の音声出力装置。
【請求項８】
前記複数の離間部材は、荷重が大きくなることによりバネ定数が大きくなる非線形バネ部材である
ことを特徴とする請求項３ないし請求項６のいずれか一項に記載の音声出力装置。
【請求項９】
前記筺体は前記第１の部分の前記開口部以外の開口部を有さないことを特徴とする
請求項３ないし請求項８のいずれかに記載の音声出力装置。
【請求項１０】
前記筐体は、前記スピーカーユニットの前記放音部の反対側に位置する第２の部分を有し、当該第２の部分に開口部を有する
ことを特徴とする請求項３ないし請求項８のいずれかに記載の音声出力装置。
【請求項１１】
前記筐体は、前記スピーカーユニットの前記放音部の反対側に位置する部分を有さない
ことを特徴とする請求項３ないし請求項８のいずれかに記載の音声出力装置。
【請求項１２】
前記スピーカーユニットの中心軸方向において、前記筐体の長さおよび前記取付部材の長さが、それぞれ、前記スピーカーユニットの長さを超えない
ことを特徴とする請求項１０または１１に記載の音声出力装置。
【請求項１３】
前記筐体は、前記スピーカーユニットの前記放音部の反対側に位置する第２の部分を有し、
前記取付部材は、前記スピーカーユニットの前記放音部の反対側に位置する第２の部分を有し、
前記複数の離間部材は、
前記筐体の前記第２の部分と、前記取付部材の前記第２の部分との間に配置される
ことを特徴とする請求項３ないし請求項１０および請求項１２のいずれかに記載の音声出力装置。
【請求項１４】
前記筐体は、前記スピーカーユニットの側壁側の第３の部分を有し、
前記取付部材は、前記スピーカーユニットの前記放音部の反対側に位置する第２の部分を有し、
前記複数の離間部材は、
前記筐体の前記第３の部分と、前記取付部材の前記第２の部分との間に配置される
ことを特徴とする請求項１１または請求項１２に記載の音声出力装置。
【請求項１５】
前記筐体の前記第１の部分と、前記取付部材の前記第１の部分との間に、音の伝達を低減する封止部材をさらに備える
ことを特徴とする請求項３ないし請求項１４のいずれかに記載の音声出力装置。
【国際調査報告】
2017022254.tif 000036
2017022254.tif 000037
2017022254.tif 000038
2017022254.tif 000039